(57)【要約】【課題】本発明は原稿の画像を任意に分割してロール紙にページ毎の画像として記録する画像形成装置を提供する。【解決手段】画像形成装置１は、スキャナ３の読み取った原稿のデジタル画像データを記憶部８に蓄積し、原稿幅検出部４で、スキャナ３の読み取る原稿の幅を検出し、ロール紙幅検出部７で、プリンタ部６が画像を記録出力するロール紙の幅を検出して、システムコントローラ２が、原稿幅検出部４の検出した原稿幅とロール紙幅検出部７の検出したロール紙幅に基づいて記憶部８の原稿の画像データを分割し、プリンタ部６が、当該分割した画像データに基づいて分割画像をロール紙に記録するとともに、分割画像を記録する毎に当該ロール紙を切断して出力する。【選択図】　　　　　図１
2004130752.tif 000002
【特許請求の範囲】
【請求項１】
原稿の画像を読み取ってデジタル画像データとして出力する原稿読取手段と、当該原稿読取手段で読み取った原稿の画像データを蓄積する画像蓄積手段と、当該画像蓄積手段の原稿の画像データを分割する画像分割手段と、当該画像分割手段の分割した画像データに基づいてロール紙に画像を記録して当該ロール紙を所定長さに切断して出力する画像記録手段と、を備えた画像形成装置において、前記原稿読取手段の読み取る前記原稿の幅を検出する原稿幅検出手段と、前記画像記録手段が画像を記録出力する前記ロール紙の幅を検出するロール紙幅検出手段と、を備え、前記画像分割手段は、当該原稿幅検出手段の検出した原稿幅と当該ロール紙幅検出手段の検出したロール紙幅に基づいて前記画像蓄積手段の原稿の画像データを分割し、前記画像記録手段が、当該画像分割手段の分割した画像データに基づいて分割画像を当該ロール紙に記録するとともに、分割画像を記録する毎に当該ロール紙を切断して出力することを特徴とする画像形成装置。
【請求項２】
原稿の画像を読み取ってデジタル画像データとして出力する原稿読取手段と、当該原稿読取手段で読み取った原稿の画像データを蓄積する画像蓄積手段と、当該画像蓄積手段の原稿の画像データを分割する画像分割手段と、当該画像分割手段の分割した画像データに基づいてロール紙に画像を記録して当該ロール紙を所定長さに切断して出力する画像記録手段と、を備えた画像形成装置において、前記原稿の画像の分割サイズを任意に設定する分割サイズ設定手段を備え、前記画像分割手段は、当該分割サイズ設定手段で設定された分割サイズに基づいて前記画像蓄積手段の原稿の画像データを分割し、前記画像記録手段が、当該画像分割手段の分割した画像データに基づいて分割画像を当該ロール紙に記録するとともに、分割画像を記録する毎に当該ロール紙を切断して出力することを特徴とする画像形成装置。
【請求項３】
原稿の画像を読み取ってデジタル画像データとして出力する原稿読取手段と、当該原稿読取手段で読み取った原稿の画像データを蓄積する画像蓄積手段と、当該画像蓄積手段の原稿の画像データを分割する画像分割手段と、当該画像分割手段の分割した画像データに基づいてロール紙に画像を記録して当該ロール紙を所定長さに切断して出力出力する画像記録手段と、を備えた画像形成装置において、前記原稿の画像の分割数を任意に設定する分割数設定手段を備え、前記画像分割手段は、当該分割数設定手段で設定された分割数に基づいて前記画像蓄積手段の原稿の画像データを分割し、前記画像記録手段が、当該画像分割手段の分割した画像データに基づいて分割画像を当該ロール紙に記録するとともに、分割画像を記録する毎に当該ロール紙を切断して出力することを特徴とする画像形成装置。
【請求項４】
前記画像記録手段は、前記ロール紙に記録出力される分割画像のサイズと、前記ロール紙の切断サイズが異なると、当該記録出力する分割画像のサイズに合わせて、当該ロール紙の切断サイズを変更して当該ロール紙を切断することを特徴とする請求項１から請求項３のいずれかに記載の画像形成装置。
【発明の詳細な説明】
【０００１】
【発明の属する技術分野】
本発明は、画像形成装置に関し、詳細には、原稿の画像を任意に分割してロール紙にページ毎の画像として記録する画像形成装置に関する。
【０００２】
【従来の技術】
【特許文献１】
特許第２５８２０７６号公報
従来から複写装置等の画像形成装置においては、原稿の画像を読み取って記録紙に記録出力する際に、当該原稿の画像を分割して記録紙に記録出力する分割出力機能を備えている。
【０００３】
そして、本出願人は、先に、特許文献１記載の複写機のページ連写方法を提案している。この複写機のページ連写方法は、原稿サイズと転写紙サイズを検出して、原稿の長手方向を２分割した原稿半サイズと、転写紙サイズから、縦方向倍率及び横方向倍率を決定して、２分割した原稿半サイズの領域の一方を１回目にスキャニングし、原稿半サイズの領域の他方を２回目にスキャニングすることで、ページ連写のコピーを行っている。
【０００４】
すなわち、この従来技術は、見開きの状態でコンタクトガラス上に載置された雑誌等の左右ページを、順次ページ毎に読取機構部を移動させて読み取り、２枚の記録紙上にそれぞれ画像形成している。
【０００５】
また、従来、ロール紙に画像形成して特定サイズにカットする画像形成装置においては、原稿の画像を複数に分割してロール紙に記録出力する場合、原稿の読取動作を分割する数に合わせて複数回繰り返し行ったり、１枚のロール紙上に画像形成した後当該ロール紙を複数に分割して切断している。
【０００６】
【発明が解決しようとする課題】
しかしながら、上記特許文献１記載の従来技術にあっては、原稿の長手方向を２分割して２回に分けて読み取って、転写紙に２回に分割して記録出力しているため、原稿の画像を２回読み取る必要があるとともに、原稿の画像を任意の複数に分割して、複数枚の用紙に記録出力することはできず、改良の必要があった。
【０００７】
また、特許文献１記載の従来技術は、転写紙としては、ロール紙ではなく、シート用紙を用いており、ロール紙に画像を形成する画像形成装置においては、上記従来のロール紙に画像形成を行う画像形成装置のように、原稿の読取動作を分割する数に合わせて複数回繰り返し行う必要があったり、１枚のロール紙上に画像形成した後当該ロール紙を複数に分割して、人手で切断する必要があり、処理速度が遅く、改良の必要があり、また、ロール紙を人手で切断するという面倒な作業を行う必要があった。また、切断しないときには、記録されたロール紙を筒状に丸めたり、折ったりする等の作業が必要であり、改良の必要があった。
【０００８】
そこで、請求項１記載の発明は、原稿読取手段の読み取った原稿のデジタル画像データを画像蓄積手段に蓄積し、当該画像蓄積手段の原稿の画像データを画像分割手段で分割して、画像記録手段で、当該画像分割手段の分割した画像データに基づいてロール紙に画像を記録して当該ロール紙を所定長さに切断して出力するに際して、原稿幅検出手段で、原稿読取手段の読み取る原稿の幅を検出し、ロール紙幅検出手段で、画像記録手段が画像を記録出力するロール紙の幅を検出して、画像分割手段が、当該原稿幅検出手段の検出した原稿幅と当該ロール紙幅検出手段の検出したロール紙幅に基づいて画像蓄積手段の原稿の画像データを分割し、画像記録手段が、当該画像分割手段の分割した画像データに基づいて分割画像を当該ロール紙に記録するとともに、分割画像を記録する毎に当該ロール紙を切断して出力することにより、原稿の読取を繰り返し行うことなく、また、自動的に原稿画像データを分割し、原稿幅とロール紙幅から原稿の読取を全て完了する前に原稿画像データの分割を行って、処理速度を向上させるとともに、分割画像毎にロール紙を切断して、利用性の良好な画像形成装置を提供することを目的としている。
【０００９】
請求項２記載の発明は、原稿読取手段の読み取った原稿のデジタル画像データを画像蓄積手段に蓄積し、当該画像蓄積手段の原稿の画像データを画像分割手段で分割して、画像記録手段で、当該画像分割手段の分割した画像データに基づいてロール紙に画像を記録して当該ロール紙を所定長さに切断して出力するに際して、分割サイズ設定手段で原稿の画像の分割サイズが任意に設定されると、画像分割手段が、当該分割サイズ設定手段で設定された分割サイズに基づいて画像蓄積手段の原稿の画像データを分割し、画像記録手段が、当該画像分割手段の分割した画像データに基づいて分割画像を当該ロール紙に記録するとともに、分割画像を記録する毎に当該ロール紙を切断して出力することにより、原稿の画像をユーザの希望する任意のサイズに分割して記録し、処理速度を向上させるとともに、分割画像毎にロール紙を切断して、利用性のより一層良好な画像形成装置を提供することを目的としている。
【００１０】
請求項３記載の発明は、原稿読取手段の読み取った原稿のデジタル画像データを画像蓄積手段に蓄積し、当該画像蓄積手段の原稿の画像データを画像分割手段で分割して、画像記録手段で、当該画像分割手段の分割した画像データに基づいてロール紙に画像を記録して当該ロール紙を所定長さに切断して出力するに際して、分割数設定手段で、原稿の画像の分割数が任意に設定されると、画像分割手段が、当該分割数設定手段で設定された分割数に基づいて画像蓄積手段の原稿の画像データを分割し、画像記録手段が、当該画像分割手段の分割した画像データに基づいて分割画像を当該ロール紙に記録するとともに、分割画像を記録する毎に当該ロール紙を切断して出力することにより、原稿の画像をユーザの希望する任意の分割数に分割して不要な用紙を出力することなく記録し、処理速度を向上させるとともに、分割画像毎にロール紙を切断して、利用性のより一層良好な画像形成装置を提供することを目的としている。
【００１１】
請求項４記載の発明は、画像記録手段が、ロール紙に記録出力される分割画像のサイズと、ロール紙の切断サイズが異なると、当該記録出力する分割画像のサイズに合わせて、当該ロール紙の切断サイズを変更して当該ロール紙を切断することにより、記録出力された画像がロール紙の一方側に偏って配置された状態となったり、記録出力された画像の両側に不要な余白部分が発生することを防止して、不要な用紙を抑制し、必要とする画像を確実に記録して、利用性のより一層良好な画像形成装置を提供することを目的としている。
【００１２】
【課題を解決するための手段】
請求項１記載の発明の画像形成装置は、原稿の画像を読み取ってデジタル画像データとして出力する原稿読取手段と、当該原稿読取手段で読み取った原稿の画像データを蓄積する画像蓄積手段と、当該画像蓄積手段の原稿の画像データを分割する画像分割手段と、当該画像分割手段の分割した画像データに基づいてロール紙に画像を記録して当該ロール紙を所定長さに切断して出力する画像記録手段と、を備えた画像形成装置において、前記原稿読取手段の読み取る前記原稿の幅を検出する原稿幅検出手段と、前記画像記録手段が画像を記録出力する前記ロール紙の幅を検出するロール紙幅検出手段と、を備え、前記画像分割手段は、当該原稿幅検出手段の検出した原稿幅と当該ロール紙幅検出手段の検出したロール紙幅に基づいて前記画像蓄積手段の原稿の画像データを分割し、前記画像記録手段が、当該画像分割手段の分割した画像データに基づいて分割画像を当該ロール紙に記録するとともに、分割画像を記録する毎に当該ロール紙を切断して出力することにより、上記目的を達成している。
【００１３】
上記構成によれば、原稿読取手段の読み取った原稿のデジタル画像データを画像蓄積手段に蓄積し、当該画像蓄積手段の原稿の画像データを画像分割手段で分割して、画像記録手段で、当該画像分割手段の分割した画像データに基づいてロール紙に画像を記録して当該ロール紙を所定長さに切断して出力するに際して、原稿幅検出手段で、原稿読取手段の読み取る原稿の幅を検出し、ロール紙幅検出手段で、画像記録手段が画像を記録出力するロール紙の幅を検出して、画像分割手段が、当該原稿幅検出手段の検出した原稿幅と当該ロール紙幅検出手段の検出したロール紙幅に基づいて画像蓄積手段の原稿の画像データを分割し、画像記録手段が、当該画像分割手段の分割した画像データに基づいて分割画像を当該ロール紙に記録するとともに、分割画像を記録する毎に当該ロール紙を切断して出力するので、原稿の読取を繰り返し行うことなく、また、自動的に原稿画像データを分割することができ、原稿幅とロール紙幅から原稿の読取を全て完了する前に原稿画像データの分割を行って、処理速度を向上させることができるとともに、分割画像毎にロール紙を切断して、利用性を向上させることができる。
【００１４】
請求項２記載の発明の画像形成装置は、原稿の画像を読み取ってデジタル画像データとして出力する原稿読取手段と、当該原稿読取手段で読み取った原稿の画像データを蓄積する画像蓄積手段と、当該画像蓄積手段の原稿の画像データを分割する画像分割手段と、当該画像分割手段の分割した画像データに基づいてロール紙に画像を記録して当該ロール紙を所定長さに切断して出力する画像記録手段と、を備えた画像形成装置において、前記原稿の画像の分割サイズを任意に設定する分割サイズ設定手段を備え、前記画像分割手段は、当該分割サイズ設定手段で設定された分割サイズに基づいて前記画像蓄積手段の原稿の画像データを分割し、前記画像記録手段が、当該画像分割手段の分割した画像データに基づいて分割画像を当該ロール紙に記録するとともに、分割画像を記録する毎に当該ロール紙を切断して出力することにより、上記目的を達成している。
【００１５】
上記構成によれば、原稿読取手段の読み取った原稿のデジタル画像データを画像蓄積手段に蓄積し、当該画像蓄積手段の原稿の画像データを画像分割手段で分割して、画像記録手段で、当該画像分割手段の分割した画像データに基づいてロール紙に画像を記録して当該ロール紙を所定長さに切断して出力するに際して、分割サイズ設定手段で原稿の画像の分割サイズが任意に設定されると、画像分割手段が、当該分割サイズ設定手段で設定された分割サイズに基づいて画像蓄積手段の原稿の画像データを分割し、画像記録手段が、当該画像分割手段の分割した画像データに基づいて分割画像を当該ロール紙に記録するとともに、分割画像を記録する毎に当該ロール紙を切断して出力するので、原稿の画像をユーザの希望する任意のサイズに分割して記録することができ、処理速度を向上させることができるとともに、分割画像毎にロール紙を切断して、利用性をより一層向上させることができる。
【００１６】
請求項３記載の発明の画像形成装置は、原稿の画像を読み取ってデジタル画像データとして出力する原稿読取手段と、当該原稿読取手段で読み取った原稿の画像データを蓄積する画像蓄積手段と、当該画像蓄積手段の原稿の画像データを分割する画像分割手段と、当該画像分割手段の分割した画像データに基づいてロール紙に画像を記録して当該ロール紙を所定長さに切断して出力出力する画像記録手段と、を備えた画像形成装置において、前記原稿の画像の分割数を任意に設定する分割数設定手段を備え、前記画像分割手段は、当該分割数設定手段で設定された分割数に基づいて前記画像蓄積手段の原稿の画像データを分割し、前記画像記録手段が、当該画像分割手段の分割した画像データに基づいて分割画像を当該ロール紙に記録するとともに、分割画像を記録する毎に当該ロール紙を切断して出力することにより、上記目的を達成している。
【００１７】
上記構成によれば、原稿読取手段の読み取った原稿のデジタル画像データを画像蓄積手段に蓄積し、当該画像蓄積手段の原稿の画像データを画像分割手段で分割して、画像記録手段で、当該画像分割手段の分割した画像データに基づいてロール紙に画像を記録して当該ロール紙を所定長さに切断して出力するに際して、分割数設定手段で、原稿の画像の分割数が任意に設定されると、画像分割手段が、当該分割数設定手段で設定された分割数に基づいて画像蓄積手段の原稿の画像データを分割し、画像記録手段が、当該画像分割手段の分割した画像データに基づいて分割画像を当該ロール紙に記録するとともに、分割画像を記録する毎に当該ロール紙を切断して出力するので、原稿の画像をユーザの希望する任意の分割数に分割して不要な用紙を出力することなく記録することができ、処理速度を向上させることができるとともに、分割画像毎にロール紙を切断して、利用性をより一層向上させることができる。
【００１８】
上記各場合において、例えば、請求項４に記載するように、前記画像記録手段は、前記ロール紙に記録出力される分割画像のサイズと、前記ロール紙の切断サイズが異なると、当該記録出力する分割画像のサイズに合わせて、当該ロール紙の切断サイズを変更して当該ロール紙を切断するものであってもよい。
【００１９】
上記構成によれば、画像記録手段が、ロール紙に記録出力される分割画像のサイズと、ロール紙の切断サイズが異なると、当該記録出力する分割画像のサイズに合わせて、当該ロール紙の切断サイズを変更して当該ロール紙を切断するので、記録出力された画像がロール紙の一方側に偏って配置された状態となったり、記録出力された画像の両側に不要な余白部分が発生することを防止して、不要な用紙を抑制することができ、必要とする画像を確実に記録して、利用性をより一層向上させることができる。
【００２０】
【発明の実施の形態】
以下、本発明の好適な実施の形態を添付図面に基づいて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００２１】
図１〜図８は、本発明の画像形成装置の第１の実施の形態を示す図であり、図１は、本発明の画像形成装置の第１の実施の形態を適用した画像形成装置１の要部ブロック構成図である。
【００２２】
図１において、画像形成装置１は、システムコントローラ２、スキャナ部３、原稿幅検知部４、画像処理部５、プリンタ部６、ロール紙幅検知部７、記憶部８及び操作表示部９等を備えている。
【００２３】
システムコントローラ（画像分割手段）２は、ＣＰＵ（Ｃｅｎｔｒａｌ　Ｐｒｏｃｅｓｓｉｎｇ　Ｕｎｉｔ　）、ＲＯＭ（Ｒｅａｄ　Ｏｎｌｙ　Ｍｅｍｏｒｙ）、ＲＡＭ（Ｒａｎｄｏｍ　Ａｃｃｅｓｓ　Ｍｅｍｏｒｙ）等を備え、ＣＰＵが、ＲＯＭ内に格納されているプログラムに基づいて、ＲＡＭをワークメモリとして利用しつつ画像形成部１の各部を制御して、画像形成部１としての基本処理を実行するとともに、後述する分割記録処理を実行する。
【００２４】
スキャナ部（原稿読取手段）３は、システムコントローラ２の制御下で動作して、セットされた原稿の画像を主走査・副走査して、原稿の画像を読み取るとともに、必要な画像処理を施して、デジタルの画像データとして画像処理部に出力する。
【００２５】
スキャナ部３には、原稿幅検知部４が設けられており、原稿幅検知部４は、スキャナ部３にセットされた原稿の幅（原稿幅）を検知して、検知結果をシステムコントローラ２に出力する。この原稿幅検知部４は、例えば、スキャナ部３の原稿載置台（コンタクトガラス等）に複数設けられた反射型または透過型のフォトインタラプタ等を用いることができ、原稿載置台上の原稿の主走査方向の両端または一方の端を検出することで、原稿幅を検出することができる。
【００２６】
画像処理部５は、システムコントローラ２の制御下で動作して、スキャナ部３から入力される原稿のデジタルの画像データに対して、スキャナ画像補正処理、シフト処理、変倍処理、マスク処理及び階調処理等の画像処理を施し、プリンタ部６に出力する。
【００２７】
プリンタ部（画像記録手段）６は、システムコントローラ２の制御下で動作して、所定の画像形成方式、例えば、電子写真方式、感熱方式、インク噴射方式等で画像処理部５から入力される画像データに基づいて、スキャナ部３の読み取った原稿の画像をロール状の記録紙（以下、ロール紙）に記録出力する。特に、プリンタ部６は、画像処理部５から入力される画像データに基づいて画像をロール紙上に記録出力する。
【００２８】
プリンタ部６には、ロール紙幅検知部（ロール紙幅検出手段）７が設けられており、ロール紙幅検知部７は、プリンタ部６にセットされているロール紙の幅（ロール紙幅）を検出して、システムコントローラ２に出力する。このロール紙幅検知部７は、プリンタ部６のロール紙のセット位置またはロール紙の搬送経路に複数設けられた反射型または透過型のフォトインタラプタ等を用いることができ、ロール紙の両端または一方の端を検出することで、ロール紙幅を検出することができる。
【００２９】
記憶部（画像蓄積手段）８は、所定容量を有したＲＡＭ、ハードディスク等が用いられ、システムコントローラ２の制御下で、画像データを保管し、また、保管した画像データが読み出される。
【００３０】
操作表示部（分割サイズ設定手段、分割数設定手段）９は、テンキーやスタートキー等の各種操作キーを備えるとともに、表示部（例えば、液晶ディスプレイ）を備えている。操作表示部９では、操作キーによりコピー枚数の設定、移動、消去等の画像編集の設定、分割出力の選択の設定、ロール紙の選択等の各種モードの設定入力操作が行われ、表示部には、操作キーで入力された各種命令内容や画像形成装置１からオペレータに通知する各種情報、特に、分割出力時の各種情報が表示される。そして、操作表示部９は、当該操作キーでの操作内容をシステムコントローラ２に出力し、また、システムコントローラ２の制御下で、表示部に上記各種情報を表示させる。特に、操作表示部９は、原稿の画像データの分割サイズや分割数の設定入力を行うのに使用される。
【００３１】
次に、本実施の形態の作用を説明する。画像形成装置１は、分割出力が選択されると、原稿幅とロール紙幅を検出して原稿の画像データをロール紙に分割出力する。
【００３２】
まず、分割出力時の原稿読取処理について、図２に基づいて説明する。画像形成装置１は、図２に示すように、操作表示部９で分割出力が選択されると（ステップＳ１０１）、システムコントローラ２が、スキャナ部３に原稿がセットされたかチェックし（ステップＳ１０２）、原稿がセットされていないときには、待機状態となって、ステップＳ１０１から上記同様に処理する（ステップＳ１０３）。
【００３３】
ステップＳ１０２で、原稿がセットされていると、システムコントローラ２は、原稿幅検知部４からの検知信号に基づいて、スキャナ部３にセットされている原稿の幅（原稿幅）を検出し（ステップＳ１０４）、スキャナ部３に当該原稿幅に応じた主走査及び副走査を行わせて、原稿の画像を読み取るスキャンを開始させる（ステップＳ１０５）。
【００３４】
システムコントローラ２は、スキャナ部３の読み取った原稿の画像データを画像処理部５で必要な画像処理を施させた後、記憶部８に転送して、記憶部８に蓄積する（ステップＳ１０６）。
【００３５】
システムコントローラ２は、１ページ分の原稿のスキャンと読み取った画像データの記憶部８への格納が完了するのを待って（ステップＳ１０７）、１ページ分の原稿の画像データの記憶部８への格納が完了すると、当該原稿に対する処理を終了し、ステップＳ１０１に戻って、スキャナ部３にセットされている全ての原稿に対して上記同様に処理して、全ての原稿の画像データを記憶部８に格納すると（ステップＳ１０１〜Ｓ１０７）、原稿読取処理を終了する。
【００３６】
そして、上述のようにして原稿の画像データの記憶部８への格納を開始すると、画像形成装置１は、図３に示すように、画像分割記録出力処理を行う。すなわち、システムコントローラ２は、出力する画像データがあるかチェックし（ステップＳ２０１）、出力する画像データがあると、分割出力かチェックする（ステップＳ２０２）。この分割出力かどうかは、操作表示部９のキー操作で分割出力が選択されているか否かをチェックすることで判断する。なお、この場合、分割出力が選択されていないが、原稿の幅がロール紙の幅よりも大きいときには、原稿の画像がロール紙上に全て記録されず画像切れが発生するおそれがある旨を操作表示部９の表示部に表示して、分割出力を促し、当該表示に応じて分割出力が選択されたかについても、ステップＳ２０２で判別するようにしてもよい。
【００３７】
ステップＳ２０２で、分割出力が選択されていると、システムコントローラ２は、記憶部８に格納されている当該記録出力対象のページの原稿の画像を分割する分割処理を行う（ステップＳ２０３）。この分割処理では、上記ステップＳ１０４で検出した原稿幅とロール紙幅に基づいて、ロール紙幅に原稿の画像を全て記録出力可能な幅に原稿の画像を分割する。例えば、原稿幅が、図４に示す原稿１０のように、幅広であると、当該原稿幅の原稿１０の画像データを、図５に示すように、検出したロール紙幅のロール紙に全ての画像を均等に割り振って記録可能な画像幅の分割出力画像に分割する。
【００３８】
システムコントローラ２は、原稿の画像の分割を行うと、分割画像数を内部メモリに格納するとともに、必要な画像出力設定を行い（ステップＳ２０４）、まず、当該分割出力画像の１つをプリンタ部６に転送して、プリンタ部６にロール紙への分割出力画像の記録出力を開始させる（ステップＳ２０５）。
【００３９】
システムコントローラ２は、プリンタ部６に画像出力を開始させると、画像出力が完了するのを待って（ステップＳ２０６）、分割出力画像がまだあるかチェックし（ステップＳ２０７）、分割出力画像が残っているときには、分割画像数を「１」だけ減算して（ステップＳ２０８）、ステップＳ２０４に戻って、当該残っている分割出力画像に対する画像出力を、画像出力設定から上記同様に処理する（ステップＳ２０４〜Ｓ２０８）。このとき、プリンタ部６は、分割画像のロール紙への記録出力が完了すると、当該記録済のロール紙を所定長さで切断する。
【００４０】
ステップＳ２０７で、分割出力画像がなくなると、当該原稿のページの画像出力処理を終了する。
【００４１】
そして、上記ステップＳ２０２で、分割出力でないときには、通常の画像出力と同様に、分割処理を行うことなく、画像出力設定を行って（ステップＳ２０４）、当該ページの画像データをプリンタ部６でロール紙に記録出力し（ステップＳ２０５）、当該ページの画像出力が完了すると（ステップＳ２０６）、この場合は、分割出力画像がないため、そのまま処理を終了する。
【００４２】
したがって、ロール紙には、図６に示すように、幅広の原稿１０の画像が複数、図４から図６の例では３つの画像に等間隔に分割されて、ロール紙１１に記録出力される。
【００４３】
なお、上記分割出力処理では、原稿幅とロール紙幅に基づいて原稿の画像の分割数を決定して、原稿の画像データを分割しているが、画像出力時にロール紙幅に基づいて出力画像サイズを演算設定して、図７に示すように、分割出力してもよい。なお、図７においては、上記図３の分割出力処理と同様の処理ステップには、同一のステップ番号を付して、詳細な説明を省略する。
【００４４】
すなわち、図７に示すように、システムコントローラ２は、出力する画像データがあるかチェックし（ステップＳ２０１）、出力する画像データがあると、分割出力かチェックする（ステップＳ２０２）。
【００４５】
ステップＳ２０２で、分割出力が選択されていると、システムコントローラ２は、原稿の幅情報とロール紙の幅情報に基づいて、出力画像サイズ（出力サイズ）を演算して設定し（ステップＳ３０１）、出力画像サイズを内部メモリに格納するとともに、必要な画像出力設定を行って（ステップＳ２０４）、まず、当該分割出力画像の１つをプリンタ部６に転送して、プリンタ部６にロール紙への分割出力画像の記録出力を開始させる（ステップＳ２０５）。このとき、プリンタ部６は、分割画像のロール紙への記録出力が完了すると、当該記録済のロール紙を所定長さで切断する。
【００４６】
システムコントローラ２は、プリンタ部６に画像出力を開始させると、画像出力が完了するのを待って（ステップＳ２０６）、残りの出力画像がまだあるかチェックし（ステップＳ３０２）、出力画像が残っているときには、出力画像サイズの演算を行って（ステップＳ３０３）、ステップＳ２０４に戻って、当該残っている出力画像に対する画像出力を、画像出力設定から上記同様に処理する（ステップＳ２０４〜Ｓ２０６、Ｓ３０２、Ｓ３０３）。
【００４７】
ステップＳ３０２で、出力画像がなくなると、当該原稿のページの画像出力処理を終了する。
【００４８】
また、この出力画像サイズを設定する方法としては、上述のように、原稿の幅情報とロール紙の幅情報に基づいて算出してもよいが、分割サイズ設定手段としての操作表示部９でユーザが原稿の画像と記録出力させたいロール紙の幅を考慮して適宜設定入力することで、出力画像サイズを設定してもよい。
【００４９】
この場合には、上記図２に示した原稿読取処理を行って、原稿の画像データを記憶部８に蓄積すると、図７の場合と同様に、システムコントローラ２は、出力する画像データがあり、分割出力であると、出力画像サイズを設定するが、この出力画像サイズの設定では、上述のように、操作表示部９で設定入力された出力画像サイズに応じて設定する。以降、システムコントローラ２は、上記図７の場合と同様に処理し、操作表示部９で指定された出力画像サイズに応じて、原稿の画像データを分割して、例えば、図８に示すように、画像出力サイズを分割して、原稿の画像をロール紙１１に記録出力する。
【００５０】
このように、本実施の形態の画像形成装置１は、スキャナ部３の読み取った原稿のデジタル画像データを記憶部８に蓄積し、当該記憶部８の原稿の画像データをシステムコントローラ２で分割して、プリンタ部６で、当該分割した画像データに基づいてロール紙に画像を記録して当該ロール紙を所定長さに切断して出力するに際して、原稿幅検出部４で、スキャナ部３の読み取る原稿の幅を検出し、ロール紙幅検出部７で、プリンタ部６が画像を記録出力するロール紙の幅を検出して、システムコントローラ２が、原稿幅検出部４の検出した原稿幅とロール紙幅検出部７の検出したロール紙幅に基づいて記憶部８の原稿の画像データを分割し、プリンタ部６が、当該分割した画像データに基づいて分割画像をロール紙に記録するとともに、分割画像を記録する毎に当該ロール紙を切断して出力している。
【００５１】
したがって、原稿の読取を繰り返し行うことなく、また、自動的に原稿画像データを分割することができ、原稿幅とロール紙幅から原稿の読取を全て完了する前に原稿画像データの分割を行って、処理速度を向上させることができるとともに、分割画像毎にロール紙を切断して、利用性を向上させることができる。
【００５２】
また、本実施の形態の画像形成装置１は、操作表示部９で原稿の画像の分割サイズが任意に設定されると、システムコントローラ２が、当該操作表示部９で設定された分割サイズに基づいて記憶部８の原稿の画像データを分割し、プリンタ部６が、当該分割した画像データに基づいて分割画像をロール紙に記録するとともに、分割画像を記録する毎に当該ロール紙を切断して出力している。
【００５３】
したがって、原稿の画像をユーザの希望する任意のサイズに分割して記録することができ、処理速度を向上させることができるとともに、分割画像毎にロール紙を切断して、利用性をより一層向上させることができる。
【００５４】
図９は、本発明の画像形成装置の第２の実施の形態を適用した画像形成装置による画像分割記録出力処理を示すフローチャートである。
【００５５】
なお、本実施の形態は、上記第１の実施の形態の画像形成装置１と同様の画像形成装置に適用したものであり、本実施の形態の説明においては、必要に応じて、上記第１の実施の形態の説明で用いた符号をそのまま用いて説明する。
【００５６】
本実施の形態の画像形成装置１は、操作表示部９で設定入力された分割数に基づいて原稿の画像データを分割して、ロール紙１１に記録出力する。
【００５７】
すなわち、本実施の形態の画像形成装置１では、原稿の画像を分割して出力する場合、まず、オペレータは、分割数設定手段としての操作表示部９で原稿の画像を分割出力させる分割数、例えば、３分割を設定入力、または、選択入力し、スキャナ部３に読み取らせる原稿をセットする。
【００５８】
画像形成装置１は、上記操作表示部９で分割数が入力されて、スキャナ部３に原稿がセットされると、図９に示すように画像分割記録出力処理を行う。なお、図９では、上記図３と同様の処理内容には、同一のステップ番号を付して、その詳細な説明を省略する。
【００５９】
すなわち、システムコントローラ２は、図９に示すように、記憶部８に出力する画像データがあるかチェックし（ステップＳ２０１）、出力する画像データがあると、分割出力かチェックする（ステップＳ２０２）。
【００６０】
ステップＳ２０２で、分割出力のときには、システムコントローラ２は、今回の分割出力対象の画像データの記憶部８への格納が終了しているかチェックし（ステップＳ４０１）、終了していないときには、画像分割記録出力処理を行うことができないと判断して、画像分割記録出力処理を終了して、図２に示した原稿読取処理を行う。
【００６１】
ステップＳ４０１で、出力画像データの記憶部８への格納が終了していると、システムコントローラ２は、操作表示部９で入力された分割数に基づいて、記憶部８に格納されている原稿の画像データを分割する分割処理を行う（ステップＳ４０２）。例えば、原稿が図４に示したような原稿１０であり、分割数が３分割に設定されていると、図５に示したように、原稿の画像データを３つに分割する。
【００６２】
システムコントローラ２は、原稿の画像の分割を行うと、分割画像数を内部メモリに格納するとともに、必要な画像出力設定を行い（ステップＳ２０４）、まず、当該分割出力画像の１つをプリンタ部６に転送して、プリンタ部６にロール紙への分割出力画像の記録出力を開始させる（ステップＳ２０５）。
【００６３】
システムコントローラ２は、プリンタ部６に画像出力を開始させると、画像出力が完了するのを待って（ステップＳ２０６）、分割出力画像がまだあるかチェックし（ステップＳ２０７）、分割出力画像が残っているときには、分割画像数を「１」だけ減算して（ステップＳ２０８）、ステップＳ２０４に戻って、当該残っている分割出力画像に対する画像出力を、画像出力設定から上記同様に処理する（ステップＳ２０４〜Ｓ２０８）。そして、プリンタ部６は、分割画像のロール紙への記録出力が完了すると、当該記録済のロール紙を所定長さで切断する。
【００６４】
ステップＳ２０７で、分割出力画像がなくなると、当該原稿のページの画像出力処理を終了する。
【００６５】
そして、上記ステップＳ２０２で、分割出力でないときには、通常の画像出力と同様に、分割処理を行うことなく、画像出力設定を行って（ステップＳ２０４）、当該ページの画像データをプリンタ部６でロール紙に記録出力し（ステップＳ２０５）、当該ページの画像出力が完了すると（ステップＳ２０６）、この場合は、分割出力画像がないため、そのまま処理を終了する。
【００６６】
したがって、ロール紙には、図６に示したように、原稿１０の画像が、オペレータの設定した複数、図４から図６の例では３つの画像に等間隔に分割されて、記録され、分割画像の記録が完了する毎に切断される。
【００６７】
このように、本実施の形態の画像形成装置１は、スキャナ部３の読み取った原稿のデジタル画像データを記憶部８に蓄積し、当該記憶部８の原稿の画像データをシステムコントローラ２で分割して、プリンタ部６で、当該分割した画像データに基づいてロール紙に画像を記録して当該ロール紙を所定長さに切断して出力するに際して、操作表示部９で、原稿の画像の分割数が任意に設定されると、システムコントローラ２が、操作表示部９で設定された分割数に基づいて記憶部８の原稿の画像データを分割し、プリンタ部８が、当該分割画像データに基づいて分割画像をロール紙に記録するとともに、分割画像を記録する毎に当該ロール紙を切断して出力している。
【００６８】
したがって、原稿の画像をユーザの希望する任意の分割数に分割して不要な用紙を出力することなく記録することができ、処理速度を向上させることができるとともに、分割画像毎にロール紙を切断して、利用性をより一層向上させることができる。
【００６９】
図１０及び図１１は、本発明の画像形成装置の第３の実施の形態を示す図である。
【００７０】
なお、本実施の形態は、上記第１の実施の形態の画像形成装置１と同様の画像形成装置に適用したものであり、本実施の形態の説明においては、必要に応じて、上記第１の実施の形態の説明で用いた符号をそのまま用いて説明する。
【００７１】
本実施の形態の画像形成装置１は、原稿の画像データを分割して、記録出力した原稿の画像サイズに合わせてロール紙をカットする。
【００７２】
すなわち、本実施の形態の画像形成装置１では、原稿の画像を分割してロール紙に記録出力するが、例えば、図４の原稿１０の画像を２分割して、図８に示すように、ロール紙１１に記録して、通常の切断サイズでロール紙１１を切断すると、記録出力する画像サイズとロール紙のカットサイズが異なり、図８に示したように、記録出力された画像がロール紙の一方側に偏って配置された状態となったり、記録出力された画像の両側に不要な余白部分ができた状態となる。
【００７３】
そこで、本実施の形態の画像形成装置１は、図１０に示すように、原稿の画像データを分割して、記録出力した原稿の画像サイズに合わせてロール紙をカットする画像分割記録出力処理を行う。なお、図１０では、上記図７に示した画像分割記録処理と同様に、画像出力時にロール紙幅に基づいて出力画像サイズを演算設定して分割出力する場合に適用したものであり、上記図３及び図７と同様の処理内容には、同一のステップ番号を付して、その詳細な説明を省略する。
【００７４】
すなわち、システムコントローラ２は、図９に示すように、記憶部８に出力する画像データがあるかチェックし（ステップＳ２０１）、出力する画像データがあると、分割出力かチェックする（ステップＳ２０２）。
【００７５】
ステップＳ２０２で、分割出力が選択されていると、システムコントローラ２は、原稿の幅情報とロール紙の幅情報に基づいて、出力画像サイズ（出力サイズ）を演算して設定し（ステップＳ３０１）、出力画像サイズを内部メモリに格納するとともに、必要な画像出力設定を行って（ステップＳ２０４）、まず、当該分割出力画像の１つをプリンタ部６に転送して、プリンタ部６にロール紙への分割出力画像の記録出力を開始させる（ステップＳ２０５）。
【００７６】
システムコントローラ２は、プリンタ部６に画像出力を開始させると、画像出力が完了して、ロール紙をカットするのを待って（ステップＳ２０６）、残りの出力画像がまだあるかチェックし（ステップＳ３０２）、出力画像が残っているときには、残り画像データの画像出力サイズとロール紙のサイズが所定の許容範囲にあるかチェックする（ステップＳ５０１）。
【００７７】
ステップＳ５０１で、画像出力サイズとロール紙のサイズが所定の許容範囲にあると、システムコントローラ２は、出力画像サイズの演算を行って（ステップＳ３０３）、ステップＳ２０４に戻って、当該残っている出力画像に対する画像出力を、画像出力設定から上記同様に処理して、プリンタ部６が、分割画像のロール紙への記録出力が完了すると、当該記録済のロール紙を所定長さで切断する（ステップＳ２０４〜Ｓ２０６、Ｓ３０２、Ｓ５０１、Ｓ３０３）。
【００７８】
ステップＳ５０１で、画像出力サイズとロール紙のサイズが所定の許容範囲外であると、システムコントローラ２は、ロール紙のカットサイズを当該残り画像データの画像出力サイズに合わせて変更する（ステップＳ５０２）。
【００７９】
システムコントローラ２は、ロール紙のカットサイズを変更すると、出力画像サイズの演算を行って（ステップＳ３０３）、ステップＳ２０４に戻って、当該残っている出力画像に対する画像出力を、画像出力設定から上記同様に処理し、プリンタ部６が、分割画像のロール紙への記録出力が完了すると、当該記録済のロール紙を変更されたカットサイズで切断する（ステップＳ２０４〜Ｓ２０６、Ｓ３０２）。
【００８０】
ステップＳ３０２で、出力画像がなくなると、当該原稿のページの画像出力処理を終了する。
【００８１】
したがって、ロール紙１１には、図１１に示すように、ロール紙１１が分割された出力画像サイズに合わせてカットされ、記録出力された画像がロール紙の一方側に偏って配置された状態となったり、記録出力された画像の両側に不要な余白部分が発生することを防止することができる。
【００８２】
このように、本実施の形態の画像形成装置１は、プリンタ部６が、ロール紙に記録出力される分割画像のサイズと、ロール紙の切断サイズが異なると、当該記録出力する分割画像のサイズに合わせて、当該ロール紙の切断サイズを変更して当該ロール紙を切断している。
【００８３】
したがって、記録出力された画像がロール紙の一方側に偏って配置された状態となったり、記録出力された画像の両側に不要な余白部分が発生することを防止して、不要な用紙を抑制することができ、必要とする画像を確実に記録して、利用性をより一層向上させることができる。
【００８４】
以上、本発明者によってなされた発明を好適な実施の形態に基づき具体的に説明したが、本発明は上記のものに限定されるものではなく、その要旨を逸脱しない範囲で種々変更可能であることはいうまでもない。
【００８５】
【発明の効果】
請求項１記載の発明の画像形成装置によれば、原稿読取手段の読み取った原稿のデジタル画像データを画像蓄積手段に蓄積し、当該画像蓄積手段の原稿の画像データを画像分割手段で分割して、画像記録手段で、当該画像分割手段の分割した画像データに基づいてロール紙に画像を記録して当該ロール紙を所定長さに切断して出力するに際して、原稿幅検出手段で、原稿読取手段の読み取る原稿の幅を検出し、ロール紙幅検出手段で、画像記録手段が画像を記録出力するロール紙の幅を検出して、画像分割手段が、当該原稿幅検出手段の検出した原稿幅と当該ロール紙幅検出手段の検出したロール紙幅に基づいて画像蓄積手段の原稿の画像データを分割し、画像記録手段が、当該画像分割手段の分割した画像データに基づいて分割画像を当該ロール紙に記録するとともに、分割画像を記録する毎に当該ロール紙を切断して出力するので、原稿の読取を繰り返し行うことなく、また、自動的に原稿画像データを分割することができ、原稿幅とロール紙幅から原稿の読取を全て完了する前に原稿画像データの分割を行って、処理速度を向上させることができるとともに、分割画像毎にロール紙を切断して、利用性を向上させることができる。
【００８６】
請求項２記載の発明の画像形成装置によれば、原稿読取手段の読み取った原稿のデジタル画像データを画像蓄積手段に蓄積し、当該画像蓄積手段の原稿の画像データを画像分割手段で分割して、画像記録手段で、当該画像分割手段の分割した画像データに基づいてロール紙に画像を記録して当該ロール紙を所定長さに切断して出力するに際して、分割サイズ設定手段で原稿の画像の分割サイズが任意に設定されると、画像分割手段が、当該分割サイズ設定手段で設定された分割サイズに基づいて画像蓄積手段の原稿の画像データを分割し、画像記録手段が、当該画像分割手段の分割した画像データに基づいて分割画像を当該ロール紙に記録するとともに、分割画像を記録する毎に当該ロール紙を切断して出力するので、原稿の画像をユーザの希望する任意のサイズに分割して記録することができ、処理速度を向上させることができるとともに、分割画像毎にロール紙を切断して、利用性をより一層向上させることができる。
【００８７】
請求項３記載の発明の画像形成装置によれば、原稿読取手段の読み取った原稿のデジタル画像データを画像蓄積手段に蓄積し、当該画像蓄積手段の原稿の画像データを画像分割手段で分割して、画像記録手段で、当該画像分割手段の分割した画像データに基づいてロール紙に画像を記録して当該ロール紙を所定長さに切断して出力するに際して、分割数設定手段で、原稿の画像の分割数が任意に設定されると、画像分割手段が、当該分割数設定手段で設定された分割数に基づいて画像蓄積手段の原稿の画像データを分割し、画像記録手段が、当該画像分割手段の分割した画像データに基づいて分割画像を当該ロール紙に記録するとともに、分割画像を記録する毎に当該ロール紙を切断して出力するので、原稿の画像をユーザの希望する任意の分割数に分割して不要な用紙を出力することなく記録することができ、処理速度を向上させることができるとともに、分割画像毎にロール紙を切断して、利用性をより一層向上させることができる。
【００８８】
請求項４記載の発明の画像形成装置によれば、画像記録手段が、ロール紙に記録出力される分割画像のサイズと、ロール紙の切断サイズが異なると、当該記録出力する分割画像のサイズに合わせて、当該ロール紙の切断サイズを変更して当該ロール紙を切断するので、記録出力された画像がロール紙の一方側に偏って配置された状態となったり、記録出力された画像の両側に不要な余白部分が発生することを防止して、不要な用紙を抑制することができ、必要とする画像を確実に記録して、利用性をより一層向上させることができる。
【図面の簡単な説明】
【図１】本発明の画像形成装置の第１の実施の形態を適用した画像形成装置の要部ブロック構成図。
【図２】図１の画像形成装置による原稿読取処理を示すフローチャート。
【図３】図１の画像形成装置による画像分割記録出力処理を示すフローチャート。
【図４】図３の画像分割記録出力処理で分割の対象となる原稿の１例の平面図。
【図５】図３の画像分割記録出力処理で図４の原稿画像を３分割する場合の説明図。
【図６】図３の画像分割記録出力処理で図４の原稿画像を図５のように３分割してロール紙に記録出力したロール紙の平面図。
【図７】図１の画像形成装置によるロール紙幅に基づいて出力画像サイズを演算設定して原稿の画像データを分割する場合の画像分割記録出力処理を示すフローチャート。
【図８】図７の画像分割記録処理で図４の原稿の画像を２分割して記録出力したロール紙の平面図。
【図９】図１の画像形成装置による操作表示部で設定入力された分割数に基づいて原稿の画像データを分割する場合の画像分割記録出力処理を示すフローチャート。
【図１０】図１の画像形成装置による原稿の画像サイズに合わせてロール紙をカットする画像分割記録出力処理を示すフローチャート。
【図１１】図１０の画像分割記録処理で図４の原稿の画像を２分割して記録出力して出力画像サイズに合わせて切断したロール紙の平面図。
【符号の説明】
１　画像形成装置
２　システムコントローラ
３　スキャナ部
４　原稿幅検知部
５　画像処理部
６　プリンタ部
７　ロール紙幅検知部
８　記憶部
９　操作表示部
１０　原稿
１１　ロール紙
【図１】
2004130752.tif 000003
【図２】
2004130752.tif 000004
【図３】
2004130752.tif 000005
【図４】
2004130752.tif 000006
【図５】
2004130752.tif 000007
【図６】
2004130752.tif 000008
【図７】
2004130752.tif 000009
【図８】
2004130752.tif 000010
【図９】
2004130752.tif 000011
【図１０】
2004130752.tif 000012
【図１１】
2004130752.tif 000013